(57)【要約】      （修正有）【課題】  帆立貝係止ピンの挿入部の先端部の切断で生じる角張った挿入部、先端面の垂れ、ヒゲ、粗い粗面等を無くし、挿入部を角張ったり、垂れやヒゲ、粗面を無くして表面が滑らかな面となるようにし、帆立貝養殖の作業を効率化する係止ピンを提供する。【解決手段】軸部４の両端部に帆立貝の係止孔に挿入する先部挿入部５を有し、これらの先部挿入部の軸方向内方部位に径方向外方に突出し、軸方向内方に傾斜した係止片６を有し、軸部の中間部に「ハ」形にロープ抜止片を径方向外方に突出し、各部全一体的に樹脂で成形した帆立貝養殖用の係止ピンであって、先部挿入部の少なくとも一方の先端部は、溶融後固化した滑らかな面５Ｂで形成されている。【選択図】図７
0003178830.tif 000002
【実用新案登録請求の範囲】
【請求項１】
軸部の一端部に帆立貝の係止孔に挿入する先部挿入部を有し、この先部挿入部の軸方向内方部位に径方向外方に突出し、前記先部挿入部とは反対方向に傾斜した係止片を有し、各部全一体的に樹脂で成形した帆立貝養殖用の係止ピンにおいて、
前記先部挿入部の先端部は溶融後固化した滑らかな面で形成されている、
ことを特徴とする帆立貝養殖用の係止ピン。
【請求項２】
軸部の両端部に帆立貝の係止孔に挿入する先部挿入部を有し、これらの先部挿入部の軸方向内方部位に径方向外方に突出し、軸方向内方に傾斜した係止片を有し、前記軸部の中間部に「ハ」形にロープ抜止片を径方向外方に突出し、各部全一体的に樹脂で成形した帆立貝養殖用の係止ピンにおいて、
前記先部挿入部の少なくとも一方の先端部は、溶融後固化した滑らかな面で形成されている、
ことを特徴とする帆立貝養殖用の係止ピン。
【請求項３】
前記先部挿入部の先端部は、略々「＜」形であることを特徴とする請求項１又は２記載の帆立貝養殖用の係止ピン。
【請求項４】
前記先部挿入部の先端部は、略々「（」形であることを特徴とする請求項１又は２記載の帆立貝養殖用の係止ピン。
【請求項５】
前記先部挿入部の先端部は、略々「ｌ」形であることを特徴とする請求項１又は２記載の帆立貝養殖用の係止ピン。
【請求項６】
前記先部挿入部の先端部の最先端部は、溶融後固化されて潰れていることを特徴とする請求項１又は２記載の帆立貝養殖用の係止ピン。
【請求項７】
前記先部挿入部の先端部は、レーザプリンタ装置のレーザ照射部から照射されるレーザ光で、プリンタ用記号コード中の「＜」形、「（」形、「ｌ」形のコードを用いて溶融切断して得られた滑らかな面であることを特徴とする請求項１又は２記載の帆立貝養殖用の係止ピン。
【考案の詳細な説明】
【技術分野】
【０００１】
本考案は、帆立貝の耳片の係止ピンを通し、ロープに通して海中に垂らし、養殖する所謂耳吊り式養殖に用いる係止ピンの改良に関するものである。
【背景技術】
【０００２】
帆立貝の養殖に際し、係止ピンをロープに通し、係止ピンの先端部に設けた係止部に帆立貝の稚貝の耳片の穿孔部に通し、海中にロープを垂らし、帆立貝を養殖する係止ピンは実用に供されている（例えば、特許文献１（図１２、図１３）参照）。
帆立貝の耳吊式養殖を、図３１、図３２で説明する。
【０００３】
図３１は、耳吊式帆立貝養殖状態を示す要部の拡大図であり、図３２は、図３１の全体図の要部を示す図であり、図に従って説明すると、樹脂製の係止ピン１０１を、ロープ１００に貫通穿設した保持孔１００ａを介して通し、係止ピン１０１の両端部に、帆立貝（稚貝）１０２の耳片１０２ａに設けた係止孔を介して吊り下げ掛止し、図３２のようにロープ１００に多数の帆立貝１０２…（…は複数を表す。以下同じ）を掛止し、海中に垂らして養殖を行うものである。
例えば、径が６〜８ｍｍ、長さが１０〜１５ｍのロープに６４ｍｍの係止ピンを１００〜１３０ｍｍピッチで通し、両端部に帆立貝を掛止する。
係止ピン１０１は、両持式では、軸部１０１ａ両端部に尖鋭な挿入部１０１ｂ，１０１ｂを有し、これの軸方向内側に軸方向内方且つ径方向外方に突出した係止片１０１ｃ，１０１ｃを有し、軸部１０１ａの中央部には「ハ」形にロープ抜け止め片１０１ｄ，１０１ｄを有する軸状体である。
【先行技術文献】
【特許文献】
【０００４】
【特許文献１】特開２００３−２８９７３４号公報
【０００５】
図２２は、帯状に成形された帆立貝養殖用係止ピンの切断前の状態を示す図であり、帯状体１１０は、両側のランナ部１１１，１１２、この間に左右のゲート部１１３，１１４で連結された多数の係止ピン１０１…からなる。
係止ピン１０１…は、ランナ部１１１，１１２間に所定ピッチで相互に平行に設けられている。
【０００６】
係止ピン１０１…は、細長い軸部１０１ａの両端部に挿入部１０１ｂ，１０１ｂを有し、挿入部１０１ｂ，１０１ｂの軸方向内方部位に図の上方に帆立貝の耳部を係止する係止片１０１ｃ，１０１ｃを備える。
軸部１０１ａの長さ方向中間部には、係止片１０１ｃ，１０１ｃと同方向に突出する、ロープ抜止片１０１ｄ，１０１ｄを「ハ」字形に突設されている。
以上の帯状体１１０は、ランナ部１１１，１１２、ゲート部１１３，１１４、軸部１０１ａ…を平行とした多数の係止ピン１０１…を含んで樹脂の射出成形により全一体に成形されている。
【０００７】
以上の帯状体の素材としては、係止ピンとして用いた場合、帆立貝を係止して海中に侵浸した際、海中で水分を吸収し、これにより少し柔らかくなり、また、伸ばすと約３倍程度延伸する６６ナイロン等が用いられている。
以上の帯状体１１０は、軸部１０１ａの端部の挿入部１０１ｂとランナ部１１１，１１２との間を繋ぐゲート部１１３，１１４の部分で切断する。
切断はカッターでなされ、Ｃは切断線を示す。
尚、図では「ハ」字形のロープ抜止片１０１ｄ，１０１ｄと隣接するものの軸部との間を連結部１０１ｅ，１０１ｅで連結しているので、この部分もカッターで切断し、係止ピン単体を構成する。
【０００８】
図２５は、帯状体から切り離した係止ピン１０１の単体を示し、係止ピンは、例えば全長が６５〜６７ｍｍであり、最も径が大きい軸部の直径は１．４〜１．８ｍｍである。
図２２に示した帯状体では、両端部を夫々丸く成形しても、ランナ部１１１，１１２からゲート部１１３，１１４を介してカッターで切り離した際、ゲート部１１３，１１４から軸内方に偏寄して切断されて角張った端面形状となったり、切断時にゲート部１１３，１１４の一部が残留したりする。
図２５は、先端部の挿入部端面１０１ｆが角張った端面形状の状態を示し、図２６は、先端部にゲート部の残留片が突起の状態で残留した状態を示す。
【０００９】
以上の軸部先端部とランナ部との間を、ゲート部でカッターにより切り離し、係止ピン単体を得るものであるが得られた係止ピンの先端部は、カッターによる切断で、前述のように軸内方に偏寄して切断されて角張った端面形状となったりする。
これは、係止ピンを含む帯状体が可撓性を有しており、切断に際し撓み、切断線がずれたりする場合があるためである。
また、切断に際し、鋭利な刃物で切断したとしても、係止ピン先端部が不可避的に切断方向に垂れが生じたり、ゲート部の残留片がヒゲ状となって残留したり、また、切断端面は狭く小さいものではあるが、ザラザラした粗い粗面状態となることは避けられない。
【００１０】
具体的は、図２７の（ａ）は、挿入部１０１ｂの先端部に残留突起１０１ｇが形成された状態の拡大図で、同（ｂ）は、挿入部１０１ｂの先端部の端面がギザギザの粗い粗面１０１ｉとなった状態の拡大図で、同（ｃ）は、挿入部１０１ｂの端面が斜めに切断され、且つ端面がギザギザの粗い粗面１０１ｊとなった状態の拡大図であり、このようにカッターにより切断した場合は、挿入部の先端部が粗い角張ったり、突起を有する面となる。
【考案の概要】
【考案が解決しようとする課題】
【００１１】
図２８〜図３０は、本考案が解決しようとする課題を示した説明図である。
図２８は、二枚通し穿孔の例で、帆立貝の稚貝１０２の左殻、右殻１０２ａ，１０２ｂの耳片部分１０２ｃ，１０２ｄを上下に重ね合わせてドリルで二枚通し穿孔し、これにより、上下に係止孔１０２ｅ，１０２ｆが形成される。
ドリルで二枚通しで穿孔する際、稚貝の殻が外方に膨出した形状であることや、表面に凹凸条を有すること等から、穿孔に際し姿勢が変化する虞があり、上下の係止孔１０２ｅ，１０２ｆの位置がズレて不一致となることが多い。
ところで、稚貝の耳片の係止孔は、例えば１．５〜１．９ｍｍであって、極めて小径である。
【００１２】
この状態で、係止ピン１０１の挿入部１０１ｂの先部端面が係止孔１０２ｅ，１０２ｆに挿入される。実際には図２５のように角張った端面形状や、図２６のように先端部にゲート部の残留片が突起の状態で残留したものや、図２７（ａ）、（ｂ）、（ｃ）の種々の端面形状を呈するが、図の説明では、角張った端面形状の先端部端面１０１ｆを係止孔１０２ｅ，１０２ｆに挿入する形態で説明する。
【００１３】
図では，上の係止孔１０２ｅに挿入部１０１ｂが挿入され、続いて、下の係止孔１０２ｆに挿入部１０１ｂが挿入される。
この下側の係止孔１０２ｆへの矢印ａのように上からの挿入に際し、上側の係止孔１０２ｅの位置と下側の係止孔１０２ｆの位置が一致しないため、角張った先端部１０１ｆが係止孔１０２ｆの周辺部に当接し、孔周辺部に当たって係止孔１０２ｆに挿入することができない。
【００１４】
このため、挿入部１０１ｂを含んで係止ピン１０１を矢印ｂ，ｃのように揺すったり、曲げ方向に変形させて係止孔周辺部をなぞり、挿入部１０１ｂを、強制的に掛止孔１０２ｆ内に挿入している。
揺すったりする際に、挿入部１０１ｂの先端部端面１０１ｆが、垂れていたり、ヒゲ状の切断残留片が残留していたり、断端面がザラザラした粗い粗面状態であることもあって、稚貝の耳片の穿設した係止孔への係止ピンの挿入作業は難しい。
【００１５】
特に、帆立貝稚貝の係止孔は１．５〜１．９ｍｍであり、係止ピンの直径は１．４〜１．８ｍｍであり、先端部の端面が角張った形状であり、且つ先端部が垂れていたり、ヒゲがあったり、粗い粗面状態の先端部を、係止孔をなぞり、挿入するのには、高い熟練が必要であり、また、年齢とともに弱る視力では、係止ピンの係止孔への挿入作業は困難な作業となり、トータルとして係止ピンの係止孔挿入の円滑を阻害し、作業効率が低下する。
この事情は、図２９に示した一枚通し穿設でも同様である。係止ピンの先端部端面１０１ｆがざらついたりしており、且つ角張っていて、係止ピン１０１の先端部の挿入部１０１ｂの係止孔１０２ｅへの挿入に際し、矢印ｂ，ｃ方向に揺すりながら矢印ａ方向に挿入する必要があり、熟練を要し、且つ作業が面倒であり、作業の円滑を阻害し、作業効率が低下する。
【００１６】
また、図３１、図３２で説明したように、帆立貝の養殖は、海中に縦向きに吊り下げられるロープ１００に、これと直交するように貫通・横断するように、多数の係止ピン１０１…をロープの長さ方向に所定間隔で係止・保持させ、係止ピンの両端部に、帆立貝を、その耳片を貫通させて係止することで係止、保持させて行われるが、ロープ１００には、事前にドリルで穿孔しておき、係止ピン１０１を保持孔１００ａに挿入する。
しかしながら、係止ピン１０１の先端部端面１０１ｆが角張ったり粗いギザギザ面でああったりしており、保持孔１００ａは捩った繊維体に穿孔することから内周面に絡んだ繊維材が露出していたりして、係止ピンの先端部が引っ掛かり、これ亦ロープの保持孔への係止ピンの円滑な挿入が阻害され、上記と同様の不都合が生じている。
これを図３０で示した。
【００１７】
ところで、図２３は、帯状体１２０を成形するに際し、ランナ部１２２を一条とした例で、係止ピン１０１の一端部のみをゲート部１２３で一条のランナ部１２３に連結しており、他端部はゲート部で連結されていないので、半球状のまま成形される。
従って、図２４に示したように、ランナ部の無い端部１０１ｋは半球状ではあるが、ランナ部１２２を有する先端部１０１ｈはゲート部１２３で連結されているので、上記したと同様に切断する必要があり、片側の先端部は、上記と同様に角張ったり、垂れ、ヒゲ、粗い粗面となり、一端部の挿入に際し、上記と同様の不都合がある。
【００１８】
本考案は、係止ピンにおける以上の課題を解決すべくなされたものである。
本考案の目的とする処は、帆立貝係止ピンの挿入部の先端部の切断で生じる角張った挿入部、先端面の垂れ、ヒゲ、粗い粗面等を無くし、挿入部を角張ったり、垂れやヒゲ、粗面を無くして表面が滑らかな面となるようにした係止ピンを得ることができ、帆立貝の稚貝耳片への係止ピンの係止、従って係止孔へ係止ピン挿入部の挿入を円滑、容易化し、帆立貝養殖作業における係止ピンの装着作業の円滑、容易化、効率化を図り得るようにした養殖帆立貝の係止ピンを提供することにある。
【課題を解決するための手段】
【００１９】
上記課題を解決するため請求項１に係る考案は、軸部の一端部に帆立貝の係止孔に挿入する先部挿入部を有し、この先部挿入部の軸方向内方部位に径方向外方に突出し、先部挿入部とは反対方向に傾斜した係止片を有し、各部全一体的に樹脂で成形した帆立貝養殖用の係止ピンにおいて、先部挿入部の先端部は溶融後固化した滑らかな面で形成されていることを特徴とする。
【００２０】
請求項２に係る考案は、軸部の両端部に帆立貝の係止孔に挿入する先部挿入部を有し、これらの先部挿入部の軸方向内方部位に径方向外方に突出し、軸方向内方に傾斜した係止片を有し、軸部の中間部に「ハ」形にロープ抜止片を径方向外方に突出し、各部全一体的に樹脂で成形した帆立貝養殖用の係止ピンにおいて、先部挿入部の少なくとも一方の先端部は、溶融後固化した滑らかな面で形成されていることを特徴とする。
【００２１】
請求項３に係る考案は、請求項１又は２において、先部挿入部の先端部は、略々「＜」形であることを特徴とする。
【００２２】
請求項４に係る考案は、請求項１又は２において、先部挿入部の先端部は、略々「（」形であることを特徴とする。
【００２３】
請求項５に係る考案は、請求項１又は２において、先部挿入部の先端部は、略々「ｌ」形であることを特徴とする。
【００２４】
請求項６に係る考案は、請求項１又は２において、先部挿入部の先端部の最先端部は、溶融後固化されて潰れていることを特徴とする。
【００２５】
請求項７に係る考案は、請求項１又は２において、先部挿入部の先端部は、レーザプリンタ装置のレーザ照射部から照射されるレーザ光で、プリンタ用記号コード中の「＜」形、「（」形、「ｌ」形のコードを用いて溶融切断して得られた滑らかな面であることを特徴とする。
【考案の効果】
【００２６】
請求項１に係る考案では、軸部の一端部に帆立貝の係止孔に挿入する先部挿入部を有し、この先部挿入部の軸方向内方部位に径方向外方に突出し、先部挿入部とは反対方向に傾斜した係止片を有し、各部全一体的に樹脂で成形した帆立貝養殖用の係止ピンの先部挿入部の先端部は溶融後固化した滑らかな面で形成されている。
従って、帆立貝耳片に形成した小さな係止孔への係止ピンの先部挿入部の挿入に際し、溶融後固化した先端部が極めて滑らかであり、係止孔や周辺部に引っ掛かったりすることが防止され、また、先端部が丸くなって滑らかなので、係止孔に調心的に侵入することができ、係止ピンの挿入が円滑、容易になされ、係止ピンへの帆立貝の係止作業を円滑、容易に行うことができ、作業効率著しく向上する。
【００２７】
請求項２に係る考案では、軸部の両端部に帆立貝の係止孔に挿入する先部挿入部を有し、これらの先部挿入部の軸方向内方部位に径方向外方に突出し、軸方向内方に傾斜した係止片を有し、軸部の中間部に「ハ」形にロープ抜止片を径方向外方に突出し、各部全一体的に樹脂で成形した帆立貝養殖用の係止ピンの先部挿入部の少なくとも一方の先端部は、溶融後固化した滑らかな面で形成されている。
従って、帆立貝耳片に形成した小さな係止孔への係止ピンの先部挿入部の挿入に際し、溶融後固化した先端部が極めて滑らかであり、係止孔や周辺部に引っ掛かったりすることが防止され、また、先端部が丸くなって滑らかなので、係止孔に調心的に侵入することができ、係止ピンの挿入が円滑、容易になされ、係止ピンへの帆立貝の係止作業を円滑、容易に行うことができ、作業効率著しく向上する。
【００２８】
請求項３に係る考案では、係止ピンの先部挿入部の先端部は略々「＜」形なので、請求項１又は２の効果に加えるに、先部挿入部の先端面は舳先状となり、溶融後固化していることと相俟って、係止孔への挿入が調心的になされ、より一層円滑、容易に係止孔への係止ピン先部挿入部の挿入がなされ、係止ピンへの帆立貝の係止作業の一層の円滑化、容易化を図り、一層の作業効率向上を図ることができる。
【００２９】
請求項４に係る考案では、係止ピンの先部挿入部の先端部は略々「（」形なので、請求項１又は２の効果に加えるに、先部挿入部の先端面は舳先状となり、溶融後固化していることと相俟って、係止孔への挿入が調心的になされ、より一層円滑、容易に係止孔への係止ピン先部挿入部の挿入がなされ、係止ピンへの帆立貝の係止作業の一層の円滑化、容易化を図り、一層の作業効率向上を図ることができる。
【００３０】
請求項５に係る考案では、係止ピンの先部挿入部の先端部は略々「ｌ」形なので、請求項１又は２の効果に加えるに、先部挿入部の先端面は小さな面となって溶融後固化していることと相俟って、係止孔への挿入がより一層円滑、容易に係止孔への係止ピン先部挿入部の挿入がなされ、係止ピンへの帆立貝の係止作業の一層の円滑化、容易化を図り、一層の作業効率向上を図ることができる。
【００３１】
請求項６に係る考案では、係止ピンの先部挿入部の先端部の最先端部は、溶融後固化されて潰れているので、請求項１又は２の効果に加えるに、例えば、梯子状の帯状係止ピン（係止ピン群）をランナ部から直接、或いはゲート部を介して切断し、ドラム状に巻回した状態で、渦巻き状に配列された係止ピンの先端部を鏝で溶融後固化させる等して、効率的に係止ピン先端部の滑らかな溶融固化作業が行え、先端部が溶融後固化し、滑らかな先端部を有する係止ピンを効率良く得ることができる。
【００３２】
請求項７に係る考案では、係止ピンの先部挿入部は、レーザプリンタ装置のレーザ照射部から照射されるレーザ光で、プリンタ用記号コード中の「＜」形、「（」形、「ｌ」形のコードを用いて溶融切断して得られた滑らかな面としたので、請求項１又は２の効果に加えるに、多数の係止ピンを平行するように配置して樹脂成形し、梯子状の帯状体として成形した際、ランナ部から直接係止ピン先端部を切断し、或いは、ゲート部から係止ピン先端部を切断する際、レーザプリンタのレーザ光で、プリンタ用記号コード中の「＜」形、「（」形、「ｌ」形のコードを用いて溶融切断することができるので、係止ピンのランナ部からの切り離しと先端部の溶融、滑らかな先端部の形成を同時に行うことができ、効率良く、円滑、容易な挿入を実現し得る係止ピンを得ることができる。
【図面の簡単な説明】
【００３３】
【図１】本考案に係る係止ピンを得るための、一手法としての切断方法を示す要部拡大図である。
【図２】レーザ光による溶融断後の状態を示す要部の図である。
【図３】溶融切断に用いるレーザ照射装置の一例で、要部を示す斜視図である。
【図４】レーザ光よる溶融切断のパターンを示す図である。
【図５】先部挿入部の先端部の形状の一例を示す図で、溶融後固化した先端部形状が「＜」形となり、舳先状とした例を示す図である。
【図６】図５の先端部の拡大斜視図である。
【図７】先部挿入部の先端部の形状の一例を示す図で、溶融後固化した先端部形状が「（」形となり、半球状とした例を示す図である。
【図８】先部挿入部の先端部の形状の一例を示す図で、溶融後固化した先端部形状が「ｌ」形となり、角状とした例を示す図である。
【図９】本考案に係る係止ピンを二枚通し穿孔のホタテ貝の耳片係止孔に挿入する要部拡大断面図である。
【図１０】図９の状態から耳片係止孔への挿入が更に進んだ状態の要部拡大断面図である。
【図１１】本考案に係る係止ピンを一枚通し穿孔のホタテ貝の耳片係止孔に挿入する要部拡大断面図である。
【図１２】ロープへ係止ピン挿入部を挿入する説明断面図である。
【図１３】帯状体のランナ部が一条である実施例を示す説明図である。
【図１４】図１３から軸部の一端部をゲート部から溶融切断し、係止ピンを得た状態を示す図である。
【図１５】ランナ部に軸部が直接連結した実施例の要部拡大図である。
【図１６】ランナ部に軸部が直接連結した図１５の実施例の他の実施例の要部拡大図である。
【図１７】係止ピンの他の実施例を示し、帯状体の一部を示す図である。
【図１８】図１７の実施例に係る係止ピンを溶融切断し、係止ピン単体を示す図である。
【図１９】係止ピンの先部挿入部の先端部を溶融後固化する手法の他の実施形態を示す原理的説明図である。
【図２０】溶融固化状態を示す部分拡大原理説明図である
【図２１】溶融後固化した係止ピンの先端部の図である。
【図２２】帯状に成形された帆立貝養殖用係止ピンの切断前の状態を示す図で、ランナ部が二条の例を示す図である。
【図２３】帯状に成形された帆立貝養殖用係止ピンの切断前の状態を示す図で、ランナ部が一条の例を示す図である。
【図２４】図２４の要部の拡大図である。
【図２５】帯状体から切り離した係止ピンの単体を示す図である。
【図２６】図２５の要部の拡大図で、先端面に突起が残留した例の図である。
【図２７】図２７の（ａ）は、係止ピンの挿入部の先端部に残留突起が形成された状態の拡大図で、（ｂ）は、挿入部の先端部の端面がギザギザの粗い粗面となった状態の拡大図で、（ｃ）は、挿入部の端面が斜めに切断され、且つ端面がギザギザの粗い粗面となった状態の拡大図である。
【図２８】帆立貝耳片への係止ピンの係止状態を示し、本考案が解決しようとする課題を示した耳片部の拡大断面図で、二枚通しの例を示す図である。
【図２９】同一枚通しの例を示す図である。
【図３０】ロープの保持孔への係止ピンの挿通における本考案が解決しようとする課題を示す要部拡大断面図である。
【図３１】耳吊式帆立貝養殖状態を示す要部の拡大図である。
【図３２】図３１の全体図の要部を示す図である。
【考案を実施するための形態】
【００３４】
本考案の実施の形態を添付図に基づいて以下に説明する。なお、図面は符号の向きに見るものとする。
本実施の形態は、樹脂成形でランナ部、ゲート部（後述するようにランナ部から直接係止ピン先端部を接続した例ではゲート部を有しない）、係止ピンを全一体的に樹脂成形したレで説明する。
【００３５】
図１は、本考案に係る係止ピンを得るための、一手法としての切断方法を示す要部拡大図、図２は、レーザ光による溶融断後の状態を示す要部の図、図３は、溶融切断に用いるレーザ照射装置の一例で、要部を示す斜視図、図４は、レーザ光よる溶融切断のパターンを示す図である。
図１は、前記した図２２と同様の帯状体の一部の部分を示した図で、帯状体１は、両側の平行する二条のランナ部２，２（図２も参照）間に係止ピンの軸部４の両端部４ａ，４ａがゲート部３，３を介して連結されている。
【００３６】
この軸部４の両端部４ａ，４ａは後述するように溶融切断され、切断後に溶融後固化した滑らかな面を先端部となった先部挿入部５，５を形成する。
軸部４の両端部４ａ，４ａの軸方向内方部に、径方向外方且つ軸方向内方に対称的に傾斜して突出する係止片６，６（帆立貝係止部）が一体的に突設されている（図２も参照）。
軸部４の長さ方向中間部には、径方向外方に「ハ」形にロープ抜止片７，７（ロープ係止部）が突設され、ロープ抜止片７，７間の間隔はロープの径と略々一致する。
【００３７】
以上において、軸部４の両端部４ａ，４ａとゲート部３，３間に本実施の形態では、レーザ照射装置によりレーザ光１１，１１を照射し（図２も参照）、軸部４の両端部４ａ，４ａをゲート部３，３から溶融切断する。
これにより、挿入部５，５の軸方向内方に「∠」形に突出する係止片５，５を有する係止ピン８を得る。
【００３８】
ところで、レーザ照射装置としては、本実施形態では、レーザプリンタのレーザ光照射部を用いた。
図３に示すようにレーザ光照射部１２から既存のプリンタ用記号コード中の記号を用い、例えば、図１、図２では、図３に示した「＜」形のレーザ光を軸部４の両端部４ａ，４ａとゲート部３，３の境界部に照射し、境界部を「＜」形のレーザ光で溶融切断する。
【００３９】
図４は、レーザ光よる切断パターンを示す図で、（ａ）、（ｂ）は「＜」、「＞」形の記号、（ｃ）、（ｄ）は「（」、「）」形の記号、（ｅ）は「ｌ」形の記号である。
図２に示したように、二条のランナ部２，２と軸部４の両端部４ａ，４ａとの間を、「＜」、或いは「（」、或いは「ｌ」形のレーザ光の照射で切断し、軸部両端部４ａ，４ａに挿入部５，５を溶融切断して形成する。
プリンタ用記号コード中の記号は、上記「＜」形、「＞」形、「ｌ」形に限られず任意である。
【００４０】
図２は、二条のランナ部２，２を有する形式の帯状体のゲート部３，３と軸部４の両端部４ａ，４ａとを「＜」、「＞」形に溶融切断し、係止ピン８を形成した例を示す。
図１３、図１４は、帯状体のランナ部２が一条である実施例を示し、軸部４の一端部４ｃのみがゲート部３を介して直交するランナ部２により連結されており、他端部４ｄはランナ部は勿論のことゲート部も有せず、滑らかな舳先状や半球状の成形されて滑らかである。
一方、前記した軸部４の一端部４ｃとゲート部３との間を「＜」形のレーザ光１１で溶融切断し、図１４の係止ピン８の単体を得る。
【００４１】
図１５、図１６は、ランナ部２に係止ピン８の軸部が直接連結した実施例の第１の例を示しており、軸部４の後に先部挿入部５を構成する部分の先端部５ａをランナ部２に連結して一体に成形し、図１５の実施例では、軸部４の先端部５ａを半球状に成形してランナ部に連結した例を示している。
図１６の実施例では、先部挿入部の先端部５ｂを略々そのままの径でランナ部２に連結して一体に成形した例を示している。
【００４２】
図５、図７及び図８は、先部挿入部の先端部の形状の一例を示す図である。
図５は、前記したレーザ光で「＜」形に溶融切断して溶融後固化した先端部５Ａが略々「＜」状の半球形となった例を示し、先端部５Ａは、図６に示すように上方からのレーザ光で略々「＜」形に溶融切断されるが、レーザ光照射側が幾分溶融し、斜面となる状態を示している。
【００４３】
図７は、前記したレーザ光で「（」形に溶融切断して溶融後固化した先端部５Ｂが略々半球状にとなった例を示し、また、図９は、前記したレーザ光で「ｌ」形に溶融切断して溶融後固化した先端部５Ｃがコーナ部が溶融後固化し周縁部が角が取れ、滑らかな面となった角形となった例を示している。
【００４４】
図９は、稚貝の係止孔に係止ピンの先端部（先部挿入部）を挿入する説明図で、二枚通し掛止孔の例を示す図であり、上側の耳片の係止孔への挿入を示す図であり、図１０は、図９の状態から、下側の掛止孔へ先端部が挿入する図である。
図では、係止ピン８の先部挿入部の先端部の形状を「（」形の例（図７の実施例）をとし、以後の説明を続ける。
【００４５】
帆立貝の稚貝２０は、図の上下に示した殻２１，２２を備え、図の上下の殻２１，２２の耳片２１ａ，２２ａに係止孔（耳吊り孔）を穿設する。
図９、図１０の実施例では、稚貝２０の生育が十分ではなく、外形が小さいものの例である。この例では、上下の耳片２１ａ，２２ａを通して係止孔２３．２４が穿設されている。
【００４６】
上側の耳片２１ａに設けた係止孔２３の上方から、係止ピン８を、その軸線が直交する方向で臨ませ、挿入部５の「（」形の先端部５ａを挿入する。
挿入部５の先端部５ａの挿入時に、係止孔２３と先端部５ａとのセンターが、完全に一致せず、係止孔周辺部近くに侵入したとしても、先端部５ａは、半球状を呈し、且つ切断面を含む表面はつるつるの滑面となり、また、溶融で半球状でもあり、係止孔２３に抵抗無く、無理なく、円滑に侵入することとなる。
【００４７】
続いて、下の耳片２２ａの係止孔２４に係止ピン８の先端部５ａが侵入するが、係止孔２４が、上の係止孔２３に対して完全に一致せず、孔間にズレがあったとしても、先端部５ａが上記したように舳先状を呈し、且つ切断面を含む表面はつるつるの滑面となり、また、溶融で半球状でもあり、係止孔２４に抵抗無く、無理なく、円滑に侵入することとなる。
【００４８】
このように、挿入部５の先端部５ａは、半球状を呈し、且つ切断面を含む表面はつるつるの滑面となり、また、溶融で半球状でもあり、上下の係止孔２３，２４に、上から抵抗無く、無理なく、円滑に侵入することとなる。
従って、係止ピンへの稚貝の係止孔への挿入、係止、装着作業が円滑に、容易に、短時間でなされることとなる。
従って、作業に熟練を要することなく、また、作業者の視力に大きな負担を掛けることなく、効率良く帆立貝への係止ピンの係止作業を行うことができる。
【００４９】
図１１は、一枚通し係止孔の例を示す図であり、一枚の耳片に設けた係止孔への先端部の挿入を示す図である。
稚貝の生育がある程度進み、帆立貝２０の外形がある程度大きい場合は、一方の耳片に生成される排泄部により、他方の耳片に、外方に突出する部分が形成され、この耳片２５のこの成長部分のみに係止孔２６を設け、これにより係止ピンに係止、装着して帆立貝養殖時に保持することができる。
この場合は、耳片２５の成長部分に係止孔２６を穿設することができる。
【００５０】
この場合においても、係止孔２６に係止ピン８の挿入部５の先端部５ａが上記したように、半球状を呈し、且つ切断面を含む表面はつるつるの滑面となり、また、溶融で半球状でもあり、係止孔２６に、上から抵抗無く、無理なく、円滑に侵入することとなる。
尚、係止ピンによる一枚通し係止においては、経時的に他方の耳片に形成されている排泄部位（耳片の欠損部）の相当部が成長し、係止ピンを含んで外側から覆い、一枚通し係止部位に係止された係止ピンを強固に保持することとなることを付言する。
【００５１】
図１２は、ロープへ係止ピン挿入部を挿入する説明断面図であり、ロープ３０に係止ピン８の通し孔３１が貫通穿設されており、例えば、挿入部の一端側に帆立貝を係止し、係止ピン８を通し孔３１に通し、挿入部の他端側に帆立貝を係止し、或いは、係止ピン８を事前にロープの通し孔３１に通しておき、両端の挿入部に帆立貝を通す。
この場合において、係止ピン８の挿入部５は、前記したように先端部５ａが舳先状を呈し、且つ切断面を含む表面はつるつるの滑面となり、また、溶融で半球状でもあり、通し孔３１内のドリル穿孔、繊維破断に起因する絡みや引っ掛かることは無く、抵抗無く、無理なく、円滑に通し孔３１に侵入し、且つ通過する。
【００５２】
図１７及び図１８は係止ピンの他の実施例を示す。
図１７は、他の実施例の帯状体５１を示し、係止ピン５８は、軸部５４、先端部５４ａ、挿入部５５、挿入部５５の手前に実施例では「＜形」で銛状の係止片５６を有する。
軸部５４は挿入部に比しかなり大径であり、後端部に所定長さに亘り大径の抜止部５７が設けられており、左右の平行するランナ部５２，５２と前記先端部５４ａとは、ゲート部５３で連結されており、抜止部５７の後端部とこの側のランナ部５２とは、実施例では細い連結部５４ｂ間で連結されている。
以上の帯状体５１は、前記した帯状体１と同様に、樹脂で全一体に成形されている。
【００５３】
以上において、軸部５４の前記した先端部５４ａとゲート部５３との間にレーザ照射装置によりレーザ光を照射し、軸部５４の先端部５４ａをゲート部５３から溶融切断する。
レーザ光による照射は、前記と同様にレーザプリンタのレーザ光照射とし、照射光は「＜」形のレーザ光とし、これにより先端部５４ａとゲート部５３との間を溶融切断する。
軸部５４の後部の抜止部５７と連結部５４ｂとの切断は、帆立貝の係止孔の挿入、係止に関与していないので、従来のようにカッターでも良いが、連結部５４ｂを軸部５４の先端部５４ａの溶融切断と同様にレーザ光で溶融切断しても良い。この場合は、上記したプリンタ用記号コード中の記号は「＜」形である必要はなく、「ｌ」形等任意であり、要は溶融切断することができれば良い。
【００５４】
図１８は、ランナ部５２，５２から切断した係止ピン５８の単体を示し、係止ピン５８は、軸部５４の一端部のみに挿入部５５を備え、他端部は軸部５４よりも十分に大径の抜止部５７を有し、挿入部５５をロープの通し孔３１に通し、帆立貝の係止孔（図９、図１０、図１１に示した係止孔２３，２４又は２６）に挿入係止し、ロープの通し孔よりも十分に大径の抜止部５７により係止ピン５８はロープに保持されることとなる。
この実施例では、一本の係止ピンに一つの帆立貝が係止、保持される。
尚、図では係止片５６を「＜」形としたが、前記した実施例と同様に「∠」形として良い。
【００５５】
以上の実施例においても、ゲート部５３と軸部５４の先端部５４ａとの溶融切断は、前記したとおり「＜」形に限られず、「（」形、「ｌ」形等任意であり、要すれば、係止ピン５８の先部挿入部５５の先端部５５ａが、溶融後溶融後固化した滑らかな面で形成されていればよい。
【００５６】
図１９〜図２１は、係止ピンの先部挿入部の先端部を溶融後固化する手法の他の実施形態を示している。
二条、或いは一条のランナ部から係止ピンの軸部の先端部をカッター等で切断し、係止ピン６８が縄梯子状に連結している帯状体を巻回し、ドラム状の帯状巻回体６１を得る。
【００５７】
ドラム状の帯状巻回体６１の係止ピン６８…は、両端部（ランナ部が一条のものでは一端部）の先部挿入部６５の先端部に、課題で説明した図２７の（ａ）の例のように切断による残留突起６５ｇが残留、形成されていたり、或いは図２７の（ｂ）、（ｃ）のようなギザギザの粗い面等が形成される。
図では、残留突起６５ｇが、巻回された帯状巻回体の６１の軸方向端部に渦巻き状に突出こととなる。
【００５８】
そこで、この側に加熱した鏝６９を臨ませ（図１９参照）、矢印で示すように加熱した鏝を渦巻き状に巻き取られた係止ピン６８…の当該端部から押圧し、残留突起６５ｇを溶融圧潰（図２０参照）する。
残留突起６５ｇは加熱された鏝６９による押圧で溶融圧潰され、先端部の残留突起６５ｇは溶融後固化し、図２１に示すように先端部６５ａは溶融して滑らかに略々丸くなる。
このように、前記した通りレーザ光による溶融切断以外に、ランナ部から、或いはゲー
【００５９】
ト部からカッターで切断し、切断後に先端部に残る残留突起やギザギザな粗面は溶融後固化して滑らか面となるように整形しても良い。
以上の加熱した鏝による溶融圧潰以外に、カッターによる切断後の痕跡を、例えば炙って溶融し、溶融後固化して滑らか面となるように整形しても良い。
【産業上の利用可能性】
【００６０】
本考案に係る係止ピンは、耳吊り式の帆立貝の養殖に利用することができる。
【符号の説明】
【００６１】
４…軸部、  ５…先部挿入部、  ６…係止片、  ７…ロープ抜止部、  ８…係止ピン。
【図１】
0003178830.tif 000003
【図２】
0003178830.tif 000004
【図３】
0003178830.tif 000005
【図４】
0003178830.tif 000006
【図５】
0003178830.tif 000007
【図６】
0003178830.tif 000008
【図７】
0003178830.tif 000009
【図８】
0003178830.tif 000010
【図９】
0003178830.tif 000011
【図１０】
0003178830.tif 000012
【図１１】
0003178830.tif 000013
【図１２】
0003178830.tif 000014
【図１３】
0003178830.tif 000015
【図１４】
0003178830.tif 000016
【図１５】
0003178830.tif 000017
【図１６】
0003178830.tif 000018
【図１７】
0003178830.tif 000019
【図１８】
0003178830.tif 000020
【図１９】
0003178830.tif 000021
【図２０】
0003178830.tif 000022
【図２１】
0003178830.tif 000023
【図２２】
0003178830.tif 000024
【図２３】
0003178830.tif 000025
【図２４】
0003178830.tif 000026
【図２５】
0003178830.tif 000027
【図２６】
0003178830.tif 000028
【図２７】
0003178830.tif 000029
【図２８】
0003178830.tif 000030
【図２９】
0003178830.tif 000031
【図３０】
0003178830.tif 000032
【図３１】
0003178830.tif 000033
【図３２】
0003178830.tif 000034